(57)【要約】      （修正有）【課題】ユーザの爪、皮膚などを切る、研ぐ、滑らかにする、および／または磨くために使用されるネイルトリマーおよび類似装置を提供する。【解決手段】スロットを画定するハウジング１２であって、スロットがハウジングを通過してキャビティまで延びている、ハウジング１２；ハウジング内に配置され、かつキャビティの中に延びている駆動部材を含む、駆動機構；ならびに駆動部材と取り外し可能に係合するように構成されたドラムアセンブリ２２であって、キャビティ内に受けられるように構成された研磨ドラムと、キャビティおよびハウジング１２の外に延びているように構成されたハブとを含む、ドラムアセンブリを含む。【選択図】図１
2017035435.tif 000002
【特許請求の範囲】
【請求項１】
スロットを画定するハウジングであって、該スロットが該ハウジングを通過してキャビティまで延びている、ハウジング；
該ハウジング内に配置されており、かつ該キャビティの中に延びている駆動部材を含む、駆動機構；ならびに
該駆動部材と取り外し可能に係合するように構成されたドラムアセンブリであって、該キャビティ内に受けられるように構成された研磨ドラムと、該キャビティおよび該ハウジングの外に延びているように構成されたハブとを含む、ドラムアセンブリ
を含む、ネイルケア装置。
【請求項２】
研磨ドラムが、ユーザによって使用される際に圧縮可能である、請求項1記載のネイルケア装置。
【請求項３】
研磨ドラムが、圧縮性材料の上に提供される研磨材料のシートを含む、請求項1記載のネイルケア装置。
【請求項４】
ハウジングが、研磨ドラムの曲率に概ね一致する曲率を有する上部湾曲部分を画定し、スロットが該上部湾曲部分に設けられている、請求項1記載のネイルケア装置。
【請求項５】
ドラムアセンブリが縦軸を画定し、スロットが該縦軸に沿う方向に延びている、請求項1記載のネイルケア装置。
【請求項６】
スロットが複数のスロットを含む、請求項5記載のネイルケア装置。
【請求項７】
研磨ドラムが、第一の研磨性を有しかつ第一のスロットを介してアクセス可能である第一の部分と、第二の研磨性を有しかつ第二のスロットを介してアクセス可能である第二の部分とを含む、請求項6記載のネイルケア装置。
【請求項８】
複数のスロットが周方向に離間している、請求項1記載のネイルケア装置。
【請求項９】
駆動機構が研磨ドラムを回転させる際に、ハブがハウジングに対して回転方向に固定されたままである、請求項1記載のネイルケア装置。
【請求項１０】
スロットが設けられている上部円柱形外面と、下部キャビティおよび上部キャビティを含む内部とを画定するハウジング壁を含む、ハウジング；
該下部キャビティ中に配置され、かつ該上部キャビティの中に延びている駆動軸に結合される、モータ；
該上部キャビティ中で該駆動軸に取り外し可能に結合されるように構成されたドラムアセンブリであって、外研磨面を含みかつ縦軸を画定する円柱形ドラムを含む、ドラムアセンブリ
を含み、
該スロットが、該縦軸に対して平行な方向に延びている、
コードレスの手持ち使用のために構成されたポータブルネイルケア装置。
【請求項１１】
円柱形ドラムの第一端に配置され、かつハウジング壁を越えて延びており、該円柱形ドラムを縦軸に沿って横方向に取り外すためにユーザによってアクセス可能である、ハブアセンブリ
をさらに含む、請求項10記載のポータブルネイルケア装置。
【請求項１２】
円柱形ドラムが駆動軸によって回される際に、ハブアセンブリがハウジングに対して固定されたままである、請求項11記載のポータブルネイルケア装置。
【請求項１３】
外研磨面が研磨材料のシートを含む、請求項10記載のポータブルネイルケア装置。
【請求項１４】
スロットが、ドラムアセンブリに対して縦方向に離間した複数の平行なスロットを含む、請求項10記載のポータブルネイルケア装置。
【請求項１５】
スロットが、ハウジングの第一の側面に配置された第一のスロットと、該第一の側面とは反対の該ハウジングの第二の側面に配置された第二のスロットとを含む、請求項10記載のポータブルネイルケア装置。
【請求項１６】
第一のスロットが第二のスロットから縦方向に離間している、請求項15記載のポータブルネイルケア装置。
【請求項１７】
円柱形ドラムが、第一の圧縮性を有する第一の円柱形部分および該第一の圧縮性とは異なる第二の圧縮性を有する第二の円柱形部分を含む、請求項10記載のポータブルネイルケア装置。
【請求項１８】
スロットが設けられている上部円柱形外面と、
ユーザの手の中に保持されるように構成された下外面と、
下部キャビティおよび上部キャビティを含む内部と
を画定するハウジング壁を含む、ハウジング；
該下部キャビティ中に配置され、かつ該上部キャビティの中に延びている駆動軸に結合される、モータ；
該上部キャビティ中で該駆動軸に取り外し可能に結合されるように構成されたドラムアセンブリであって、
外研磨面を含み、かつ縦軸を画定する、圧縮性円柱形ドラムと、
該円柱形ドラムの第一端に配置され、かつ該ハウジング壁を越えて延びており、該円柱形ドラムを該縦軸に沿って横方向に取り外すためにユーザによってアクセス可能である、ハブアセンブリと
を含む、ドラムアセンブリ
を含み、
該スロットが、該縦軸に対して平行な方向に延びており、かつ
該円柱形ドラムが該駆動軸によって回される際に、該ハブアセンブリが該ハウジングに対して固定されたままである、
コードレスの手持ち使用のために構成されたポータブルネイルケア装置。
【請求項１９】
円柱形ドラムが、該円柱形ドラムの第二端において縦軸に沿って延びている凹部を含み、該凹部が、駆動軸の回転が該円柱形ドラムの対応する回転を生じさせながらもハブアセンブリがハウジングに対して固定されたままであるように該駆動軸を受けるよう構成されている、請求項18記載のポータブルネイルケア装置。
【請求項２０】
スロットが、縦軸に沿って延びておりかつ縦軸に対して平行な方向に離間している複数のスロットを含む、請求項18記載のポータブルネイルケア装置。
【発明の詳細な説明】
【技術分野】
【０００１】
本開示は概して美容装置の分野に関し、より具体的には、ネイルケア装置、たとえば、ユーザの爪、皮膚などを切る、研ぐ、滑らかにする、および／または磨くために使用されるネイルトリマーおよび類似装置の分野に関する。
【発明の概要】
【０００２】
概要
一つの態様は、
スロットを画定するハウジングであって、スロットがハウジングを通過してキャビティまで延びている、ハウジング；
ハウジング内に配置されており、かつキャビティの中に延びている駆動部材を含む、駆動機構；ならびに
駆動部材と取り外し可能に係合するように構成されたドラムアセンブリであって、キャビティ内に受けられるように構成された研磨ドラムと、キャビティおよびハウジングの外に延びているように構成されたハブとを含む、ドラムアセンブリ
を含む、ネイルケア装置に関する。
【０００３】
もう一つの態様は、コードレスの手持ち使用のために構成されたポータブルネイルケア装置に関し、該ポータブルネイルケア装置は、
スロットが設けられている上部円柱形外面と、下部キャビティおよび上部キャビティを含む内部とを画定するハウジング壁を含む、ハウジング；
下部キャビティ中に配置され、かつ上部キャビティの中に延びている駆動軸に結合される、モータ；
上部キャビティ中で駆動軸に取り外し可能に結合されるように構成されたドラムアセンブリであって、外研磨面を含みかつ縦軸を画定する円柱形ドラムを含む、ドラムアセンブリ
を含み、ここでスロットは、縦軸に対して平行な方向に延びている。
【０００４】
もう一つの態様は、コードレスの手持ち使用のために構成されたポータブルネイルケア装置に関し、該ポータブルネイルケア装置は、
スロットが設けられている上部円柱形外面と、ユーザの手の中に保持されるように構成された下外面と、下部キャビティおよび上部キャビティを含む内部とを画定するハウジング壁を含む、ハウジング；
下部キャビティ中に配置され、かつ上部キャビティの中に延びている駆動軸に結合される、モータ；
上部キャビティ中で駆動軸に取り外し可能に結合されるように構成されたドラムアセンブリであって、
外研磨面を含み、かつ縦軸を画定する圧縮性円柱形ドラムと、
円柱形ドラムの第一端に配置され、かつハウジング壁を越えて延びており、円柱形ドラムを縦軸に沿って横方向に取り外すためにユーザによってアクセス可能であるハブアセンブリと
を含む、ドラムアセンブリ
を含み、ここでスロットは縦軸に対して平行な方向に延びており、かつ円柱形ドラムが駆動軸によって回される際にハブアセンブリはハウジングに対して固定されたままである。
【０００５】
前記概要は例を示すだけであり、いかなるふうにも限定的であることを意図したものではない。上記例示的な局面、態様および特徴に加えて、図面および以下の詳細な説明を参照することにより、さらなる局面、態様および特徴が明らかになるであろう。
【０００６】
より具体的には、本発明は以下を提供する：
［1］  スロットを画定するハウジングであって、該スロットが該ハウジングを通過してキャビティまで延びている、ハウジング；
該ハウジング内に配置されており、かつ該キャビティの中に延びている駆動部材を含む、駆動機構；ならびに
該駆動部材と取り外し可能に係合するように構成されたドラムアセンブリであって、該キャビティ内に受けられるように構成された研磨ドラムと、該キャビティおよび該ハウジングの外に延びているように構成されたハブとを含む、ドラムアセンブリ
を含む、ネイルケア装置。
［2］  研磨ドラムが、ユーザによって使用される際に圧縮可能である、［1］のネイルケア装置。
［3］  研磨ドラムが、圧縮性材料の上に提供される研磨材料のシートを含む、［1］のネイルケア装置。
［4］  ハウジングが、研磨ドラムの曲率に概ね一致する曲率を有する上部湾曲部分を画定し、スロットが該上部湾曲部分に設けられている、［1］のネイルケア装置。
［5］  ドラムアセンブリが縦軸を画定し、スロットが該縦軸に沿う方向に延びている、［1］のネイルケア装置。
［6］  スロットが複数のスロットを含む、［5］のネイルケア装置。
［7］  研磨ドラムが、第一の研磨性を有しかつ第一のスロットを介してアクセス可能である第一の部分と、第二の研磨性を有しかつ第二のスロットを介してアクセス可能である第二の部分とを含む、［6］のネイルケア装置。
［8］  複数のスロットが周方向に離間している、［1］のネイルケア装置。
［9］  駆動機構が研磨ドラムを回転させる際に、ハブがハウジングに対して回転方向に固定されたままである、［1］のネイルケア装置。
［10］
スロットが設けられている上部円柱形外面と、下部キャビティおよび上部キャビティを含む内部とを画定するハウジング壁を含む、ハウジング；
該下部キャビティ中に配置され、かつ該上部キャビティの中に延びている駆動軸に結合される、モータ；
該上部キャビティ中で該駆動軸に取り外し可能に結合されるように構成されたドラムアセンブリであって、外研磨面を含みかつ縦軸を画定する円柱形ドラムを含む、ドラムアセンブリ
を含み、
該スロットが、該縦軸に対して平行な方向に延びている、
コードレスの手持ち使用のために構成されたポータブルネイルケア装置。
［11］  円柱形ドラムの第一端に配置され、かつハウジング壁を越えて延びており、該円柱形ドラムを縦軸に沿って横方向に取り外すためにユーザによってアクセス可能である、ハブアセンブリ
をさらに含む、［10］のポータブルネイルケア装置。
［12］  円柱形ドラムが駆動軸によって回される際に、ハブアセンブリがハウジングに対して固定されたままである、［11］のポータブルネイルケア装置。
［13］  外研磨面が研磨材料のシートを含む、［10］のポータブルネイルケア装置。
［14］  スロットが、ドラムアセンブリに対して縦方向に離間した複数の平行なスロットを含む、［10］のポータブルネイルケア装置。
［15］  スロットが、ハウジングの第一の側面に配置された第一のスロットと、該第一の側面とは反対の該ハウジングの第二の側面に配置された第二のスロットとを含む、［10］のポータブルネイルケア装置。
［16］  第一のスロットが第二のスロットから縦方向に離間している、［15］のポータブルネイルケア装置。
［17］  円柱形ドラムが、第一の圧縮性を有する第一の円柱形部分および該第一の圧縮性とは異なる第二の圧縮性を有する第二の円柱形部分を含む、［10］のポータブルネイルケア装置。
［18］
スロットが設けられている上部円柱形外面と、
ユーザの手の中に保持されるように構成された下外面と、
下部キャビティおよび上部キャビティを含む内部と
を画定するハウジング壁を含む、ハウジング；
該下部キャビティ中に配置され、かつ該上部キャビティの中に延びている駆動軸に結合される、モータ；
該上部キャビティ中で該駆動軸に取り外し可能に結合されるように構成されたドラムアセンブリであって、
外研磨面を含み、かつ縦軸を画定する、圧縮性円柱形ドラムと、
該円柱形ドラムの第一端に配置され、かつ該ハウジング壁を越えて延びており、該円柱形ドラムを該縦軸に沿って横方向に取り外すためにユーザによってアクセス可能である、ハブアセンブリと
を含む、ドラムアセンブリ
を含み、
該スロットが、該縦軸に対して平行な方向に延びており、かつ
該円柱形ドラムが該駆動軸によって回される際に、該ハブアセンブリが該ハウジングに対して固定されたままである、
コードレスの手持ち使用のために構成されたポータブルネイルケア装置。
［19］  円柱形ドラムが、該円柱形ドラムの第二端において縦軸に沿って延びている凹部を含み、該凹部が、駆動軸の回転が該円柱形ドラムの対応する回転を生じさせながらもハブアセンブリがハウジングに対して固定されたままであるように該駆動軸を受けるよう構成されている、［18］のポータブルネイルケア装置。
［20］  スロットが、縦軸に沿って延びておりかつ縦軸に対して平行な方向に離間している複数のスロットを含む、［18］のポータブルネイルケア装置。
【図面の簡単な説明】
【０００７】
本出願は、以下の詳細な説明を添付図面と合わせて読むことにより、より十分に理解されよう。図中、類似の参照番号は類似の要素を指す。
【０００８】
【図１】一つの態様のネイルケア装置の前方斜視図である。
【図２】一つの態様の、図1のネイルケア装置の後方斜視図である。
【図３】一つの態様の、図1のネイルケア装置の正面図である。
【図４】一つの態様の、図1のネイルケア装置の背面図である。
【図５】一つの態様の、図1のネイルケア装置の左側面図である。
【図６】一つの態様の、図1のネイルケア装置の右側面図である。
【図７】一つの態様の、図1のネイルケア装置の上面図である。
【図８】一つの態様の、図1のネイルケア装置の下面図である。
【図９】一つの態様の、図1のネイルケア装置の駆動システムの模式図である。
【図１０】一つの態様の、図1のネイルケア装置の駆動システムの正面図である。
【図１１】一つの態様の、図10の駆動システムの斜視図である。
【図１２】一つの態様の、図1のネイルケア装置と一緒に使用可能なドラムアセンブリの側面図である。
【図１３】一つの態様の、図1のネイルケア装置から取り外されたドラムアセンブリの斜視図である。
【図１４】代替態様のネイルケア装置の斜視図である。
【図１５】一つの態様の、図14のネイルケア装置の後方斜視図である。
【図１６】一つの態様の、図14のネイルケア装置の正面図である。
【図１７】一つの態様の、図14のネイルケア装置の背面図である。
【図１８】一つの態様の、図14のネイルケア装置の左側面図である。
【図１９】一つの態様の、図14のネイルケア装置の右側面図である。
【図２０】一つの態様の、図14のネイルケア装置の上面図である。
【図２１】一つの態様の、図14のネイルケア装置の下面図である。
【図２２】一つの態様の、図14のネイルケア装置から取り外されたドラムアセンブリの斜視図である。
【発明を実施するための形態】
【０００９】
詳細な説明
例示的な態様を詳細に示す図面に目を向ける前に、本出願は、詳細な説明に述べられるかまたは図面に示される詳細または方法に限定されないということが理解されるべきである。また、本明細書の中で使用される専門用語は、説明および例示のためのみのものであり、限定的とみなされるべきではないことが理解されるべきである。
【００１０】
概して図面を参照すると、本明細書に開示される様々な態様は、爪を切る、成形する、滑らかにする、磨く、または他のやり方で手入れするために使用可能なネイルケア装置に関する。しかし、いくつかの態様において、本明細書に開示される装置は、皮膚を磨く、滑らかにする、または他のやり方で手入れするためのスキンケア装置としても使用可能であることが理解されるべきである。概して、ポータブルの手持ち装置は、外研磨面を有する回転ドラムアセンブリを含む。ドラムアセンブリの回転する外研磨面と爪、皮膚などとの係合により、ユーザが、所望により、爪および／または皮膚の表面を取り除く、滑らかにする、磨くなどすることが可能となる。いくつかの態様において、回転ドラムアセンブリは、平滑化、成形、および／または他の高い能力を提供するために圧縮可能なドラムを含む。さらに、回転ドラムアセンブリは、異なるレベルの研磨性、圧縮性／硬さなどで構成されてもよく、それらは他方で、異なる色または他の識別子を使用して識別され得る。
【００１１】
まず図1〜13を参照すると、一つの態様のネイルケア装置10が示されている。装置10は、爪を切る、磨く、バフ研磨する、つや出しする、滑らかにするなどを含む、爪実質の除去を伴う様々な美容的処置または手法のために構成され得る。他の態様において、装置10は、ユーザの皮膚に対して使用可能である。すべてのそのような用途が本開示の範囲内である。図1〜8に示すように、装置10は、電気機械的駆動システム（たとえば、適切な歯車列、駆動軸、電源またはバッテリなどと組み合わせた電気モータ）を利用するポータブルの手持ち装置である。様々な代替態様において、装置10は、コード付きおよび／またはコードレス使用のために構成され得る。
【００１２】
一つの態様において、装置10は、上部キャビティ18および下部キャビティ20を画定するハウジング12を含む（たとえば図10を参照）。キャビティ18、20は、ハウジング12の内部の少なくとも一部を形成し、装置10の様々な部品、たとえばドラムアセンブリ、駆動システム部品などを受ける。電源スイッチ14がハウジング12の外面に配置され（たとえばそれに滑動的に結合され、など）、装置10をオン／オフするために使用可能であり得る。リリースボタン16がハウジング12の側面に提供され、以下さらに詳細に説明するように、ドラムアセンブリ22を上部キャビティ18から解放するために使用可能である。ハウジング18は、バッテリへのアクセスを提供するために取り外し可能なバッテリカバー36を含み得る。ハウジング18は、使用中にユーザの手にぴったりとフィットし、装置の容易な操作を可能にするように付形され得る。図14〜22の態様を含む様々な代替態様において、ハウジング12のサイズおよび形状は、特定の用途（たとえば異なる大きさの手など）に合うように変更され得る。
【００１３】
ハウジング12はさらに、ドラムアセンブリ22の一つまたは複数の部分を覆うように構成されたドラムアセンブリカバー34を含む。様々な態様において、カバー34は、ユーザがドラムアセンブリ22を利用することによって爪、皮膚などを手入れすることを可能にするための一つまたは複数のスロットを含む。たとえば、一つの態様において、カバー34は、ドラムアセンブリ22の形状に適合する一つまたは複数の概して円柱形の部分を形成し、一つまたは複数のスロット44、45、47を画定する。図1〜2に示すように、カバー34は、スロット44、45を画定する第一の側面40（たとえば前面円柱形部分など）およびスロット47を画定する第二の側面42（たとえば背面円柱形部分など）を含む。スロット44、45および47は、装置の外部から上部キャビティ18まで延びており、爪、皮膚の一部などがスロットの中を通過し、ドラムアセンブリ22と係合することができるようになっている。
【００１４】
図1に示すように、スロット44は、ドラムアセンブリ22の縦軸に対して縦方向に、ドラムアセンブリ22の長さの一部分（たとえばドラムアセンブリ22またはドラム52の長さの1/4、1/3、1/2など）に延びている、概して細長く少なくとも部分的に楕円形のスロットである。スロット44は、ユーザの爪の末端部分を受け、周囲の皮膚をローラアセンブリ22によって研磨することなく、ユーザの爪を切る、研ぐ、滑らかにする、磨くなどするように構成され得る。一つの態様において、スロット44は、対応する爪がドラムアセンブリ22と係合する間、指をスロット44に隣接させて載せやすくするためのカバー34の面取り部分によって包囲されている。
【００１５】
さらに図1を参照すると、スロット45は、スロット44よりも実質的に幅広であるように示されている。一つの態様において、スロット45は、ドラムアセンブリに関して周方向に少なくとも約90°、少なくとも約120°または少なくとも約150°延びている。たとえば、図1に示すように、ローラアセンブリ22の周方向面積の少なくとも1/4（すなわち90°）がスロット45の長さとして露出している。スロット44よりも実質的に大きい幅を有するスロット45を設けると、とりわけ、爪の付形、周囲の皮膚の成形および作業する際のドラムアセンブリ22のより大きな表面積が可能になる。
【００１６】
図2を参照すると、スロット47は、ドラムアセンブリ22の縦軸に対して縦方向に、ドラムアセンブリ22の長さの一部分（たとえばドラムアセンブリ22またはドラム52の長さの1/4、1/3、1/2など）に延びている、概して細長く楕円形のスロットである。スロット47は、ユーザの爪の末端部分を受け、周囲の皮膚をドラムアセンブリ22によって研磨することなく、ユーザの爪を切る、研ぐ、滑らかにする、磨くなどするように構成され得る。一つの態様において、スロット47は、対応する爪がドラムアセンブリ22と係合する間、指をスロット47に隣接させて載せやすくするためのカバー34の面取り部分によって包囲されている。
【００１７】
一つの態様において、スロット47は、サイズおよび形状がスロット44に概して等しい。他の態様において、スロット47は、サイズおよび／または形状がスロット44とは異なる（たとえば、異なる長さおよび／または幅を有する、長方形である、など）。図1〜2において、スロット47は、スロット44よりも長いものとして示されている。いくつかの態様において、スロット47は、カバー34に沿って縦方向に概ねスロット44とスロット45との間に配置され、各スロットがドラムアセンブリ22の異なる縦方向部分を利用する傾向を示すようにしている。このようにして、ドラムアセンブリ22の長さの任意の部分の過度な使用を避け得、ドラムアセンブリ22の耐用寿命を最大化し得る。
【００１８】
図1、2は、カバー34の第一の側面40に設けられたスロット44、45およびカバー34の第二の側面42に設けられたスロット47を示すが、様々な代替態様にしたがって、様々なスロットの相対位置が変更されてもよく、スロットのサイズ、数および／または配置が図1〜2に示す態様に対して異なってもよいことが理解されるべきである。たとえば、いくつかの態様において、第一の側面40および第二の側面42それぞれが、一つ、二つまたはより多くのスロットを含んでもよい。さらに、一つの態様においては、複数のスロットがカバー34に沿って縦方向に離間しているが、他の態様においては、一つまたは複数のスロットがカバー34に関して周方向に離間していてもよい。なおさらに、カバー34の片側または両側の一つまたは複数のスロットはサイズおよび／または形状が等しくてもよい。なおさらなる態様において、第一の側面40または第二の側面42はスロットを有しなくてもよい。すべてのそのような変形が本開示の範囲内であると理解されなければならない。
【００１９】
さらに図1〜2を参照すると、一つの態様において、カバー34は、ハウジング12の一部と一体に形成され得る（たとえばモールディング、成形または他のプロセスによって）。他の態様において、カバー34は、代替カバー（たとえば異なるスロット形状を有する）を利用し得るような（たとえばスナップ嵌めまたは他の接続を介して）ハウジング12の取り外し可能部分であってもよい。さらに、図1〜2は概して別々の第一および第二の側面40、42（たとえば中間隆起部分によって分けられている）を示すが、他の態様において、第一および第二の側面40、42が接続して概して連続的な円柱面を形成してもよい。すべてのそのような変形が本開示の範囲内であると理解されなければならない。
【００２０】
図12を参照すると、一つの態様にしたがって、ドラムアセンブリ22は、ドラム52（たとえばローラ、研磨部材、回転部材など）およびドラム52の側端に結合されたエンドハブ46を含む。ドラム52は、ドラムアセンブリ22の回転要素であり、かつハブ46に回転可能に結合される。ドラム52は、爪実質、皮膚実質などを切る、除去する、または研磨するように構成された外研磨面54（たとえば研磨材料シート、たとえばサンドペーパ、吹き付けまたははけ塗りされ得る研磨コーティングなど）を含む。ハブ46は、環状溝48と、ハブ46に関して周方向に延びている多数の突起50とを含む。
【００２１】
一つの態様において、ドラム52は、外面54に加えられる（たとえば爪、皮膚などを介して）圧力の結果としてドラム52が変形（たとえば圧縮、変形など）するように構成されるように圧縮可能である。たとえば、ユーザが爪の一部を外面54に押し当てるならば、ドラム52は、加えられる圧力の量に基づいて変形し得る。いくつかの態様において、圧縮性ドラムは、爪、皮膚などを切る、成形する、または他のやり方で手入れするための高められた制御を提供する。代替態様において、ドラム52は、相対的に硬い非圧縮性のドラムとして提供されてもよい。
【００２２】
図11を参照すると、一つの態様において、ドラム52は、外面54の下に提供された圧縮性コア部分53を含む。一つの態様において、表面54は、接着または他のやり方でコア部分53に固定された材料シートであり得る。他の態様において、外面54は、吹き付け、はけ塗りまたは他のやり方でコア部分53に適用され得る。一つの態様において、ドラム52の様々な部分が異なるレベルの研磨性および／または硬さを提供し得る（たとえば、ドラム52の長さに沿って）。たとえば、ドラム52の第一の縦方向部分55は第一の研磨性および／または硬さを提供し得、ドラム52の第二の縦方向部分57は第二の異なる研磨性および／または硬さを提供し得る。いくつかの態様において、異なる硬さおよび／または研磨性の各部分は概して、一つまたは複数のスロット、たとえばスロット44、45、および47と整合している。たとえば、スロット44および45に関して、スロット44に沿って延びているドラム52の第一の部分は第一の硬さおよび／または研磨性を提供し得、スロット45に沿って延びているドラム52の第二の部分は第二の異なる硬さおよび／または研磨性を提供し得る。
【００２３】
一つの態様において、ドラムアセンブリ22はさらに、ドラムアセンブリ22の、エンドハブ46とは反対の側端に位置する駆動凹部56を含む。以下さらに詳細に説明するように、駆動凹部56は、装置10の駆動軸24と係合してドラムアセンブリ22の回転を提供するように構成されている。
【００２４】
図10〜11を参照すると、装置10は駆動軸24を含み、駆動軸24は、駆動軸24の回転がドラムアセンブリ22の対応する回転を生じさせるようにドラムアセンブリ22を受けるよう、構成されている。駆動軸24は、一つの態様において、電気モータ30によって駆動され、一つまたは複数の歯車28を含む歯車列26によってモータ30に動作的に結合される。他の態様においては、ベルト駆動システムなどを含む他の駆動システムを使用してもよい。図8に示すように、モータ30は電源32から電力を受ける。電源32は、取り外し可能および／または充電可能なバッテリ、外部電源からの電力を伝達するように構成された電力アウトレット、非取り外し可能な充電式バッテリなどであってよく、またはそれらを含むものであってもよい。一つの態様において、駆動軸24は上キャビティ18の中に延びており、歯車列26、モータ30および／または電源32のすべてまたは一部が下部キャビティ20の中に提供される。
【００２５】
ドラムアセンブリ22は、ハウジング12の側面を介して上部キャビティ18に挿入され得、かつ／または上部キャビティ18から取り出され得る。そのため、ドラムアセンブリ22がすり減るかまたは使用不可能になる場合、あるいは、ユーザが、異なる研磨性および／または硬さを有するドラムアセンブリを利用することを望む場合、ユーザは単にドラムアセンブリ22を取り出し、それを異なるドラムアセンブリと交換し得る。ドラムアセンブリ22を取り外すとき、駆動軸24は装置10の上部キャビティ18内に留まる。
【００２６】
図12に示すように、ドラムアセンブリ22のハブ46は、ハウジング12と係合してハブ46をハウジング12に対して回転方向に固定状態に維持する突起50を含む。支持ブラケット38（たとえばU字形支持ブラケット）がハブ46の環状溝48内に受けられてハウジング12内でドラムアセンブリ22の縦方向位置を固定する。ドラムアセンブリ22を取り外すためには、ユーザがリリースボタン16を押すと（たとえば下向きに）、それが支持ブラケット38を環状溝48内から外に移動させ、それにより、ドラムアセンブリ22を横方向に取り出すことを可能にする。いくつかの態様においては、駆動凹部56と駆動軸24とがばね押し的に係合して、リリースボタン16が押されると、ドラムアセンブリ22が横方向に上部キャビティ18の外へと動く傾向を示すようにする（図13を参照）。
【００２７】
次に図14〜22を参照すると、一つの態様のネイルケア装置110が示されている。ネイルケア装置110は、ハウジング112の形状がハウジング12の形状とは異なり、ドラムアセンブリ122の突起150が装置10の突起50とは異なる構造であり得ることを除き、装置10と類似したやり方で作動し、かつ類似した部品および特徴を含む。より具体的には、ハウジング112は、よりコンパクトな装置と、スロット144、145、147に関してわずかに異なる構造とを提供する。さらには、ドラムアセンブリとハウジングとの間のインタフェースが、突起50、150の違いに起因して異なり得る。
【００２８】
図14〜15を参照すると、ハウジング112のカバー134が複数のスロット144、145、147を画定している。カバー134の第一の側面140は一つのスロット144を含み、カバー134の第二の側面142はスロット145および147を含む。電源ボタンまたはスイッチ114およびリリースボタン116は、装置10に関して示した電源ボタン14およびリリーススイッチ16と類似した構造および／または機能であり得る。
【００２９】
一つの態様において、スロット145、147は第二の側面142において縦方向に互いから離間し、スロット144は第一の側面140においてスロット145とスロット147との間に略縦方向に配置されている。図14〜15に示すように、一つの態様において、スロット144、145、および147は、類似したサイズおよび形状であり得る。他の態様においては、これらのスロットのいずれかのサイズ、形状、数、および位置が変更されてもよい。
【００３０】
他の点で、装置110は実質的に装置10に類似している。たとえば、装置は、類似した駆動機構を使用し得、互換可能なローラを使用し得る。さらに、装置10、110は、類似した材料から、および／または類似したプロセスを使用して作られ得る。装置110は、わずかに小さめの形状係数を提供し、それは、小さめの手を有する人の場合、ポータブル性などに有益であり得る。
【００３１】
この詳細な説明を考慮すると、本明細書に開示される態様の様々な局面のさらなる変形および代替態様が当業者には明らかであろう。したがって、この詳細な説明は、例を示すだけのものとして解釈されなければならない。様々な例示的態様に示す構造および構成は例を示すだけである。本開示においてはいくつかの態様だけが詳細に示されているが、本明細書に記載される主題の新規な教示および利点を実質的に逸脱することなく、多くの変更（たとえば、様々な要素のサイズ、寸法、構造、形状、および割合、パラメータ値、取り付け構造、使用材料、色、向きなどの変更）が可能である。一体に形成されたものとして示されるいくつかの要素は、複数の部品または要素で構成され得るが、要素の配置が逆転または他のやり方で変更されてもよく、個々の要素または位置の性質または数が変更されてもよい。代替態様にしたがって任意のプロセス、論理アルゴリズムまたは方法工程の順番または順序が変更または並べ換えされてもよい。また、本発明の範囲を逸脱することなく、様々な例示的態様の設計、作動条件および構成において他の置換、変形、変更および省略が加えられてもよい。
【符号の説明】
【００３２】
10  ネイルケア装置
12  ハウジング
14  電源スイッチ
16  リリースボタン
18  上部キャビティ
20  下部キャビティ
22  ドラムアセンブリ
24  駆動軸
26  歯車列
28  一つまたは複数の歯車
30  モータ
32  電源
34  ドラムアセンブリカバー
36  バッテリカバー
38  支持ブラケット
40  第一の側面
42  第二の側面
44  スロット
45  スロット
46  エンドハブ
47  スロット
48  環状溝
50  突起
52  ドラム
53  コア部分
54  外面
55  第一の縦方向部分
56  駆動凹部
57  第二の縦方向部分
110  ネイルケア装置
112  ハウジング
114  スイッチ
116  リリースボタン
118  上部キャビティ
122  ドラムアセンブリ
134  カバー
140  第一の側面
142  第二の側面
144  スロット
145  スロット
147  スロット
【図１】
2017035435.tif 000003
【図２】
2017035435.tif 000004
【図３】
2017035435.tif 000005
【図４】
2017035435.tif 000006
【図５】
2017035435.tif 000007
【図６】
2017035435.tif 000008
【図７】
2017035435.tif 000009
【図８】
2017035435.tif 000010
【図９】
2017035435.tif 000011
【図１０】
2017035435.tif 000012
【図１１】
2017035435.tif 000013
【図１２】
2017035435.tif 000014
【図１３】
2017035435.tif 000015
【図１４】
2017035435.tif 000016
【図１５】
2017035435.tif 000017
【図１６】
2017035435.tif 000018
【図１７】
2017035435.tif 000019
【図１８】
2017035435.tif 000020
【図１９】
2017035435.tif 000021
【図２０】
2017035435.tif 000022
【図２１】
2017035435.tif 000023
【図２２】
2017035435.tif 000024
【外国語明細書】
2017035435000001.pdf